(57)【要約】【課題】  撮像表示装置を使用しない場合や、携帯する場合には表示部の表示画面を保護できながら、撮影する場合には、簡単な操作で、迅速かつスムーズな撮影準備が行え、しかも、手に持った姿勢や机上に置いた姿勢の何れの場合でも良好に鑑賞することができる撮像表示装置を提供する。【解決手段】  一方の短辺部に撮像部３を有する本体部２と、表示画面６が設けられた表示部５とを二軸ヒンジ部４を介して回動可能に取り付け、この二軸ヒンジ部４を、表示部５の１つの角部近傍に配設し、二軸ヒンジ部４の回動により、表示画面６が本体部２に重ねられた状態で収納された収納姿勢と、表示画面６が外部に露出された使用姿勢との２つの姿勢にわたって表示部５を切り換え自在とした。これにより、収納姿勢では表示画面６を保護でき、撮影を行うに際して、２回の回動操作を行うだけで、迅速かつスムーズに撮影準備を行うことができる。【選択図】  図１
2006180299.tif 000002
【特許請求の範囲】
【請求項１】
略板状長方形の形状を有し、その一方の短辺部に撮像部を有する本体部と、
略板状長方形の形状を有し、前記本体部に二軸ヒンジ部を介して回動可能に取り付けられ、一方の平面部に表示画面が設けられた表示部とを備え、
前記二軸ヒンジ部は、前記表示部の１つの角部近傍において、その軸心が前記撮像部の光軸と略直交するとともに本体部の厚み方向に略沿うように配設された第１の回転軸と、その軸心が前記撮像部の光軸および前記第１の回転軸と直交し、表示部の辺に沿う方向に配設された第２の回転軸とからなり、
前記表示部は、前記二軸ヒンジ部の回動により、表示画面が本体部に重ねられた状態で収納された収納姿勢と、表示画面が外部に露出された使用姿勢とにわたって切り換え自在とされ、前記表示部を前記収納姿勢から前記第１の回転軸を中心に略９０度回動した後、前記第２の回転軸を中心に略９０度以上回動させることで、前記使用姿勢となる撮像表示装置。
【請求項２】
表示部と表示画面とはその長辺と短辺とが同じ向きになるように配置された略長方形の形状とされ、収納姿勢において、表示部の長辺と本体部の長辺とが同方向となるように配置した請求項１記載の撮像表示装置。
【発明の詳細な説明】
【技術分野】
【０００１】
本発明は、例えば半導体ムービーカメラやデジタルスチルカメラ等のように、撮像部と表示部とを備えた撮像表示装置に関する。
【背景技術】
【０００２】
半導体ムービーカメラやデジタルスチルカメラ等の小型の撮像装置においては、映像を表示する液晶表示画面（ＬＣＤ）が備えられているものが近年、主流となっている。この液晶の表示画面は、撮像表示装置の本体部において、いつでも見ることが可能なように常に外部へ露出して配置されているものが多い。
【０００３】
しかしながら、前記のような撮像表示装置では、表示画面が常に外部に露出しているため、表示画面が汚れたり、傷付き易かったりする不都合があった。
このような不都合に対処する構成として、図１０，図１１に示すように、表示画面５１を有する表示部５２を、本体部５３に対して回動可能に構成して、表示画面５１を保護可能に構成した撮像表示装置５４がある（特許文献１参照）。
【０００４】
前記本体部５３は、この本体部５３の前面上端部において前後方向に延びる回転軸心５５の回りに回転自在な円形回転部５６と、この円形回転部５６に内蔵され、レンズおよびＣＣＤからなる撮像部５７とを有している。また、円形回転部５６には、その直径方向に沿う方向に延びる一対のヒンジピン５８が設けられており、このヒンジピン５８および円形回転部５６の回転軸心５５を介して、前記表示部５２が本体部５３に取り付けられている。そして、前記表示部５２が本体部５３に対して円形回転部５６により回転可能であるとともに、ヒンジピン５８を支点として１８０度の範囲で展開及び折畳み可能である。なお、液晶表示画面５１は表示部５２の裏面に設けられている。
【０００５】
これによると、この撮像表示装置５４を使用しない場合、表示部５２を本体部５３と重なり合う折畳み位置Ｑ１に折畳むことにより、表示画面５１が本体部５３に対面して覆われる。これにより、表示画面５１が本体部５３によって保護され、液晶の表示画面５１が傷付いたり汚れたりすることを防止することができる。
【０００６】
また、撮像表示装置５４を使用する場合、図１１において仮想線で示すように、先ず、ヒンジピン５８を支点として、表示部５２を折畳み位置Ｑ１から矢印６０の方向へ略９０度起こして中間位置Ｑ２まで揺動させる。次に、円形回転部５６を介して、表示部５２を回転軸心５５の回りに１８０度回転させる。その後、ヒンジピン５８を支点として、表示部５２を中間位置Ｑ２からさらに矢印６１の方向へ９０度起こして展開位置Ｑ３まで揺動させる。
【０００７】
これにより、図１１において実線で示すように、表示部５２の表示画面５１が被写体とは反対側の裏面側に向き、表示画面５１をビューファインダーとして見ながら撮像部５７により撮影が行える。なお、表示部５２を展開位置Ｑ３から折畳み位置Ｑ１へ折畳む場合は、前記とは逆の手順を行えばよい。
【特許文献１】特開平１０−１９１１１７号公報
【発明の開示】
【発明が解決しようとする課題】
【０００８】
しかしながら前記従来の撮像表示装置５４では、表示部５２を折畳み位置Ｑ１から展開位置Ｑ３まで展開して撮影可能な状態にするには、表示部５２を矢印６０の方向へ揺動させる操作と、表示部５２を回転軸心５５の回りに１８０度回転させる反転操作と、さらに表示部５２を矢印６１の方向へ揺動させる操作との３回の操作が必要となるため、操作に手間がかかり、迅速かつスムーズな撮影準備ができないといった問題があり、撮影チャンスを逃がしてしまう恐れがあった。
【０００９】
また、常に撮像表示装置５４を手に持った姿勢、すなわち、撮像表示装置５４の本体部５３を縦向きに起こした姿勢で使用することを前提としているので、本体部５３を机上に置いた姿勢で表示画面５１を見ながら鑑賞する用途には使用し難いという課題もあった。
【００１０】
本発明は上記問題や課題を解決するもので、撮像表示装置を使用しない場合や、携帯する場合には表示部の表示画面を保護できながら、撮影する場合には、簡単な操作で、迅速かつスムーズな撮影準備が行え、しかも、手に持った姿勢や机上に置いた姿勢の何れの場合でも良好に鑑賞することができる撮像表示装置を提供することを目的とする。
【課題を解決するための手段】
【００１１】
上記問題や課題を解決するために、本発明の撮像表示装置は、略板状長方形の形状を有し、その一方の短辺部に撮像部を有する本体部と、略板状長方形の形状を有し、前記本体部に二軸ヒンジ部を介して回動可能に取り付けられ、一方の平面部に表示画面が設けられた表示部とを備え、前記二軸ヒンジ部は、前記表示部の１つの角部近傍において、その軸心が前記撮像部の光軸と略直交するとともに本体部の厚み方向に略沿うように配設された第１の回転軸と、その軸心が前記撮像部の光軸および前記第１の回転軸と直交し、表示部の辺に沿う方向に配設された第２の回転軸とからなり、前記表示部は、前記二軸ヒンジ部の回動により、表示画面が本体部に重ねられた状態で収納された収納姿勢と、表示画面が外部に露出された使用姿勢とにわたって切り換え自在とされ、前記表示部を前記収納姿勢から前記第１の回転軸を中心に略９０度回動した後、前記第２の回転軸を中心に略９０度以上回動させることで、前記使用姿勢となるものである。
【００１２】
この構成において、表示部が収納姿勢である場合には、表示部の表示画面が本体部に重ねられて、外部に露出しない状態であるので、表示画面が保護されて、傷付いたり汚れたりすることを防止できる。また、収納姿勢から使用姿勢に変更する場合には、表示部を収納姿勢から第１の回転軸を中心に略９０度回動する操作と、この後に、第２の回転軸を中心に略９０度以上回動させる操作との２回の操作を行うだけで、迅速かつスムーズに撮影準備を行うことができる。また、表示部の表示画面に表示される映像を鑑賞する場合には、表示部を収納姿勢から第１の回転軸を中心に略９０度以上回動させるだけで、この撮像表示装置を机上に置くなどして表示画面を良好に鑑賞することができる。
【００１３】
また、本発明は、表示部と表示画面とはその長辺と短辺とが同じ向きになるように配置された略長方形の形状とされ、収納姿勢において、表示部の長辺と本体部の長辺とが同方向となるように配置したものである。
【００１４】
この構成により、本体部が長方形であるので持ち易くて良好な操作性を維持できながら、本体部に対して、広い面積の表示画面を確保することができる。
【発明の効果】
【００１５】
以上のように本発明によれば、収納姿勢である場合には、撮像表示装置全体がデザイン性に優れた薄型の略板形状体となる。そして、一方の短辺部に撮像部を有する本体部と、表示画面が設けられた表示部とを二軸ヒンジ部を介して回動可能に取り付け、前記二軸ヒンジ部は、前記表示部の１つの角部近傍に配設され、前記二軸ヒンジ部の回動により、表示画面が本体部に重ねられた状態で収納された収納姿勢と、表示画面が外部に露出された使用姿勢との２つの姿勢にわたって表示部が切り換え自在としたことにより、収納姿勢である場合には表示画面が保護されて、傷付いたり汚れたりすることを防止できながら、撮影を行うに際して、収納姿勢から２回の回動操作を行うだけで、迅速かつスムーズに撮影準備を行うことができ、利便性に優れる。また、撮像時において、撮像表示装置の位置や姿勢に応じて、表示画面を見易い姿勢に変更することができるので、使い勝手も良好である。しかも、二軸ヒンジ部が表示部の１つの角部近傍に配設され、第２の回転軸が表示部の辺に沿って延びる姿勢で配設されているので、表示部の表示画面に表示される映像を鑑賞する場合でも、表示部を収納姿勢から第２の回転軸を中心に略９０度以上回動させるだけで、この撮像表示装置を机上に置いた状態で表示画面を良好に鑑賞することができ、収納姿勢から極めて少ない操作で観賞用姿勢とすることができて、この場合も便利である。
【００１６】
また、表示部と表示画面とをその長辺と短辺とが同じ向きになるように配置させ、収納姿勢において、表示部の長辺と本体部の長辺とが同方向となるように配置することにより、本体部が長方形であるので持ち易くて良好な操作性を維持できながら、本体部に対して、広い面積の表示画面を確保することができ、視認性も良好となり、これによっても使い勝手が向上する。
【発明を実施するための最良の形態】
【００１７】
以下、本発明の実施の形態を図１〜図７に基づいて説明する。図１〜図５は、本発明の実施の形態に係る撮像表示装置の収納姿勢の状態を示すもので、図１は平面図、図２は正面図、図３は背面図、図４は左側面図、図５は下面図である。また、図６は同撮像表示装置の撮影時などの第１の使用姿勢の状態を示す平面図、図７は同撮像表示装置の鑑賞時などの第２の使用姿勢の状態を示す斜視図である。なお、以下の説明は、理解し易いように、図１〜図５などに示すように、撮像表示装置の表示部が上方に、前側に撮像部が配置された場合を説明するが、実際にこの撮像表示装置を使用する場合はこの配置に限るものではないことはもちろんである。
【００１８】
図１〜図７に示すように、本発明の実施の形態に係る撮像表示装置１は、略板状長方形の形状を有し、その一方の短辺部である前辺部２ａに撮像部３を有する本体部２と、略板状長方形の形状を有し、本体部２に二軸ヒンジ部４を介して回動可能に取り付けられ、一方の平面部であるその裏面部５ａに液晶の表示画面６が設けられた表示部５とを備えている。撮像部３は、撮像用レンズおよび撮像素子（図示せず）を有し、撮像用レンズが前辺部２ａから外部に臨むように配設されている。なお、３ａは撮像部３（撮像用レンズ）の光軸である。
【００１９】
二軸ヒンジ部４は、表示部５の１つの角部近傍において、撮像部３の光軸３ａと略直交するとともに本体部２の厚み方向にその軸心が略沿う（すなわち、図１〜図５に示す姿勢では上下方向に延びる）ように配設され、本体部２に対して回転自在に取り付けられた略太径円柱形状の第１の回転軸７と、撮像部３の光軸３ａおよび第１の回転軸７の軸心７ａとその軸心が直交し、表示部５の長辺５ｂに沿うように配置され、表示部５が固定され、かつ第１の回転軸７に対して回動自在に取り付けられた第２の回転軸８とからなる。
【００２０】
表示部５は、二軸ヒンジ部４の回動により、図１、図３、図４に示すように、表示画面６が本体部２に重ねられた状態で収納された収納姿勢と、図６、図７に示すように、表示画面６が外部に露出された第１、第２の使用姿勢とにわたって切り換え自在とされている。そして、図８に示すように、表示部５を前記収納姿勢から第１の回転軸７を中心にｃ方向に略９０度回動した後、第２の回転軸８を中心にｄ方向に略９０度以上回動させることで、図６に示すように、撮像時などに適した第１の使用姿勢となる。また、図７に示すように、表示部５を前記収納姿勢から第１の回転軸７を中心にｃ方向に略９０度以上回動させることで、表示画面６を鑑賞することに適した第２の使用姿勢となる。
【００２１】
表示部５と表示画面６とはその長辺と短辺とが同じ向きになるように配置された略長方形の形状とされ、収納姿勢において、表示部５の長辺と、本体部２の長辺とが同方向で、平面視して略同一面となるように構成されている。また、表示部５と本体部２とにおける二軸ヒンジ部４が設けられていない側の短辺（後辺部）も、同方向で、平面視して略同一面となるように構成されている。
【００２２】
図６、図７などに示すように、本体部２における上面部、すなわち、収納姿勢において、表示部５が重ねられる面には、各種の操作を行うための操作釦９ａ〜９ｄなどが設けられている。また、図７に示すように、本体部２は、撮像部３や第１の回転軸７が設けられている前側部よりも、表示部５が設けられている後側部が、この表示部５の形状に合わせて上面側を窪ませた形状とされており、表示部５を折り畳んで本体部２に重ねた状態で撮像表示装置１が凹凸の少ない略板形状になるように構成されている。
【００２３】
上記構成によれば、収納姿勢である場合には、図１〜図５に示すように、撮像表示装置１全体がデザイン性に優れた薄型の略板形状体となる。そして、このように収納姿勢である場合には、表示部５の表示画面６が本体部２に重ねられて、外部に露出しない状態であるので、表示画面６が保護されて、傷付いたり汚れたりすることが防止される。また、各種の操作を行うための操作釦９ａ〜９ｄも外部に露出しない状態であるので、操作釦９ａ〜９ｄも保護されて、傷付いたり汚れたりすることが防止され、塵埃が操作釦９ａ〜９ｄから内部へ侵入することも防止できる。
【００２４】
また、撮影を行うに際して、収納姿勢から第１の使用姿勢に変更する場合には、表示部５を収納姿勢から第１の回転軸７を中心に略９０度回動して、図８に示す姿勢にする操作と、この後に、第２の回転軸８を中心に略９０度以上回動させる操作との２回の操作を行うだけで、迅速かつスムーズに撮影準備を行うことができ、撮影チャンスを逃がしてしまうことも防止できる。なお、この際、撮像対象物に対する撮像部３を向ける方向や姿勢に応じて、第２の回転軸８を中心に表示部５を回動させて表示画面６が見易い最適な姿勢にすればよく、第２の回転軸８を中心に表示部５を３６０度の何れの方向にも回動可能であり、図９に示すような姿勢とすることにより、表示画面６を見ながら、撮像部３を自分の方向に向くように持って、いわゆる自分撮りをすることも可能である。このように、撮像時において、撮像表示装置１の位置や姿勢に応じて、表示画面６を見易い姿勢に変更することができるので、使い勝手も良好である。
【００２５】
また、二軸ヒンジ部４が表示部５の１つの角部近傍に配設され、第２の回転軸８が表示部５の長辺５ｂに沿って延びる姿勢で配設されているので、表示部５は、第１の回転軸７を回動させなくても、第２の回転軸８周りに自由に回動でき、表示部５の表示画面６に表示される映像を鑑賞する場合には、図７に示すように、表示部５を収納姿勢から第１の回転軸７を中心に略９０度以上回動させるだけで、この撮像表示装置１を机上に置いた状態で表示画面６を良好に鑑賞することができ、前記１回の回動操作を行うだけでよいので、極めて少ない操作で済んで便利である。なお、その際の回動角度を調整するだけで、手に撮像表示装置１を持った状態で、表示画面６の画像を鑑賞することもできる。
【００２６】
また、表示部５と表示画面６とをその長辺と短辺とが同じ向きになるように配置させ、収納姿勢において、表示部５の長辺と本体部２の長辺とが同方向となるように配置することにより、本体部２が長方形であるので持ち易くて良好な操作性を維持できながら、本体部２に対して、広い面積の表示画面６を確保することができて、視認性も良好となり、これによっても使い勝手が向上する。
【産業上の利用可能性】
【００２７】
本発明は、液晶表示画面等の表示部を備えた半導体ムービーカメラやデジタルスチルカメラ等に適用することができる。
【図面の簡単な説明】
【００２８】
【図１】本発明の実施の形態に係る撮像表示装置の平面図（収納姿勢の状態）
【図２】同撮像表示装置の正面図（収納姿勢の状態）
【図３】同撮像表示装置の背面図（収納姿勢の状態）
【図４】同撮像表示装置の左側面図（収納姿勢の状態）
【図５】同撮像表示装置の下面図（収納姿勢の状態）
【図６】同撮像表示装置の平面図（第１の使用姿勢の状態）
【図７】同撮像表示装置の斜視図（第２の使用姿勢の状態）
【図８】同撮像表示装置の平面図（収納姿勢から表示部を回動させた状態）
【図９】同撮像表示装置の正面図（いわゆる自分撮りをする姿勢の状態）
【図１０】従来の撮像表示装置の正面図（表示部を折畳んだ状態）
【図１１】同従来の撮像表示装置の側面図（画面部を展開した状態）
【符号の説明】
【００２９】
１      撮像表示装置
２      本体部
３      撮像部
３ａ    光軸
４      二軸ヒンジ部
５      表示部
６      表示画面
７      第１の回転軸
８      第２の回転軸
９ａ〜９ｄ    操作釦
【図１】
2006180299.tif 000003
【図２】
2006180299.tif 000004
【図３】
2006180299.tif 000005
【図４】
2006180299.tif 000006
【図５】
2006180299.tif 000007
【図６】
2006180299.tif 000008
【図７】
2006180299.tif 000009
【図８】
2006180299.tif 000010
【図９】
2006180299.tif 000011
【図１０】
2006180299.tif 000012
【図１１】
2006180299.tif 000013